(57)【要約】  素線（３１）を撚り線状に成形した炭素繊維心材（３０）と、炭素繊維心材（３０）の外周側に設けられ、アルミ線を撚合わせて形成されたアルミ撚り線（４０）とを有する送電線の端部を把持する送電線のクランプ（１０）において、素線（３１）の外周面に、この素線（３１）に生じる引張力と交差する方向に巻き付けられたラッピング繊維（３２）と、炭素繊維心材（３０）と、アルミ撚り線（４０）との間に介挿され、内周面に前記ラッピング繊維（３２）に対応する凹凸が形成された筒状の金属緩衝材（５０）と、金属緩衝材（５０）の内周面側に配置され、アルミナ又は炭化ケイ素のうち少なくとも一方を含む硬質粒子（６０）と、アルミ撚り線（４０）の外周側に設けられ、アルミ撚り線（４０）、金属緩衝材（５０）、炭素繊維心材（３０）を圧縮固定する筒状のアルミスリーブ（２０）とを備え、簡単な構成で十分で安定した把持力を有する。
2015170389.tif 000002
【特許請求の範囲】
【請求項１】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維心材と、撚合わせ送電線との間に介挿された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項２】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状の金属緩衝材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項３】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項４】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維心材と、撚合わせ送電線との間に介挿された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項５】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状で錫材を含む金属緩衝材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項６】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【発明の詳細な説明】
【技術分野】
【０００１】
本発明は、架空送電線等の送電線の端末定着に用いる送電線のクランプに関する。
【背景技術】
【０００２】
遠方に電力を送電する手法として、架空線形式の架空送電線（以下、「送電線」と称する。）が用いられている。この送電線は、架線張力の多くを負担する心材と、心材の周りに複数の層に撚り合わせたアルミ線とで構成されている。アルミ線は電気良導体で、かつ、軽量であるため架空線形式の送電線として好適である。心材としては鋼撚り線が使用されているが、軽量で高強度、低線膨張等の特性を有する炭素繊維材が用いられることもある。炭素繊維材を用いることで、鋼撚り線を用いた場合に比べ、送電線全体の重量軽減、引張強さ増加、低線膨張化、クリープ性向上が図られ、大容量化、低地度化、長スパン化等のメリットが得られる。【０００３】
炭素繊維材を心材にした送電線を架設・緊張するには送電線を把持、固定するためのクランプ装置が必要となる。炭素繊維材は高い引張強度や弾性係数を有するが、せん断に弱い性質があり、鋼心の送電線をクランプするときに通常に用いられる強い圧縮をすると炭素繊維材がつぶれて損傷し、期待した高い把持力を発揮できずに、低張力で心材が破壊してしまう。このため、次のような対策が考えられている。【０００４】
段剥ぎをすることなく、撚り合わせ送電線と心材との間に、不織布の巻回層や金属ダイカスト層等の軟質あるいは硬質の緩衝層を設けることで、金属スリーブの圧縮力が緩衝層により吸収または遮断され、心材に加わる力を低減することで炭素繊維の損傷を防ぐ技術が知られている（例えば、日本国特開平７−２５０４１９号公報）。【０００５】
亜鉛あるいはアルミニウムの金属を主成分とし、内周面に心材の外周に係合する係合面を形成した一対の半円筒体からなる緩衝スリーブを心材と導電用金属線の撚り合わせ層との間に配置し、外側の金属スリーブを圧縮固定してクランプを構成している。一対の半円筒体からなる緩衝スリーブは予め工場で製造しておくため、現場では露出させた心材に係合させるだけであり作業時間を短縮できる（例えば、日本国特開平８−２３７８４０号公報）。
【発明の開示】
【０００６】
上述したクランプ装置では、次のような問題があった。すなわち、緩衝層を設ける方法では、不織布の巻回層を成型するには現場で多くの時間を必要とする不都合があった。また、ダイカストによる金属製の緩衝層を形成するには、大型のダイカスト成型機械装置を送電線架設の作業現場に持ち込まなければならず、山間部で実施するには困難があった。
【０００７】
緩衝スリーブを予め工場で製造して用いる方法では、ダイカスト成型機械装置を送電線架設の作業現場に持ち込むことは不要になる。しかしながら、近年、炭素繊維心材は技術改良が図られ、従来と同じ直径であっても引張強さが３０〜４０％程度高くなっている。すなわち、心材の引張強さが大きくなることに伴い、送電線の引張強さも同時に高まり、これにより、同じサイズのクランプであっても把持力をさらに高める必要があった。さらに、炭素繊維は軽量、高強度、低線膨張であるため、特に長スパンでかつ重量の大きくなる太径の大容量送電線に用いられる場合、炭素繊維心材の直径も大きくなる。
【０００８】
直径が太くなると金属スリーブの食い込み量が相対的に低下し、また、表面積も引張強さに比べて相対的に狭くなるため、結果的に把持力が不足し、クランプから炭素繊維心材が抜ける虞があった。
【０００９】
そこで本発明は、簡単な構成で十分で安定した把持力を有するクランプ装置を提供することを目的としている。
【００１０】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、前記炭素繊維の外周面に、この炭素繊維に生じる引張力と交差する方向に巻き付けられたラッピング繊維と、前記炭素繊維心材と、撚合わせ送電線との間に介挿された筒状の金属緩衝材と、この金属緩衝材の内周面側に配置され、アルミナ又は炭化ケイ素のうち少なくとも一方を含む増摩材と、前記撚合わせ送電線の外周側に設けられ、前記撚合わせ送電線、前記金属緩衝材、前記炭素繊維心材を圧縮固定する筒状のスリーブとを備えていることを特徴とする。
【００１１】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、前記炭素繊維の外周面に、この炭素繊維に生じる引張力と交差する方向に巻き付けられたラッピング繊維と、前記炭素繊維心材と、撚合わせ送電線との間に介挿された筒状で錫材を含む金属緩衝材と、この金属緩衝材の内周面側に配置され、アルミナ又は炭化ケイ素のうち少なくとも一方を含む増摩材と、前記撚合わせ送電線の外周側に設けられ、前記撚合わせ送電線、前記金属緩衝材、前記炭素繊維心材を圧縮固定する筒状のスリーブとを備えていることを特徴とする。
【図面の簡単な説明】
【００１２】
【図１】図１は、本発明の第１の実施の形態に係る電線のクランプを示す縦断面図である。
【図２】図２は、同電線のクランプを図１中Ａ−Ａ線で切断して矢印方向に見た横断面図である。
【図３】図３は、同電線のクランプに組み込まれた金属緩衝材を示す横断面図である。
【図４】図４は、同電線のクランプに組み込まれた金属緩衝材及び炭素繊維心材を示す斜視図である。
【図５】図５は、同金属緩衝材の変形例を示す横断面図である。
【図６】図６は、同金属緩衝材及び炭素繊維心材の変形例を示す斜視図である。
【図７】図７は、本発明の第２の実施の形態に係る電線のクランプを示す縦断面図である。
【図８】図８は、同電線のクランプを図７中Ｂ−Ｂ線で切断して矢印方向に見た横断面図である。
【発明を実施するための最良の形態】
【００１３】
以下、添付図面にもとづき、本発明の実施形態について説明する。【００１４】
図１は本発明の第１の実施の形態に係る１ボディタイプの電線のクランプ１０を示す縦断面図、図２は電線のクランプ１０を図１中Ａ−Ａ線で切断して矢印方向に見た横断面図、図３は電線のクランプ１０に組み込まれた金属緩衝材５０を示す横断面図、図４は、電線のクランプ１０に組み込まれた金属緩衝材５０及び炭素繊維心材３０を示す斜視図である。説明中において、軸方向とは、素線３１の延びる方向を示し、素線３１に生じる引張力と同一の方向である。送電線のクランプは送電線の端部を固定するものであり、架線張力を保持するために要求される機械的把持力と、送電線を流れる電気を通す電導性の両方が要求される。【００１５】
電線のクランプ１０は、有底筒状のアルミスリーブ２０と、このアルミスリーブ２０に同軸的に配置された炭素繊維心材３０と、この炭素繊維心材３０の外周に設けられたアルミ撚り線（導電性金属線）４０と、炭素繊維心材３０とアルミ撚り線４０との間に配置された筒状の金属緩衝材５０とを備えている。金属緩衝材５０の内周面にはさらに硬質粒子（増摩材）６０が設けられている。硬質粒子６０は、例えば、直径０．０１〜０．５ｍｍのアルミナ又は炭化ケイ素である。【００１６】
アルミスリーブ２０には、このアルミスリーブ２０の底部２１側に緊張力接続部２２と、この緊張力接続部２２に取り付けられた電気接続部２３とを備えている。アルミスリーブ２０は、把持力と電導性の両方を分担する。【００１７】
炭素繊維心材３０は、素線３１を１×７等の撚り線に成型した連続線条体であって（図４参照）、各素線３１は炭素繊維とマトリクス樹脂からなる連続繊維複合材から成っている。炭素繊維心材３０は軽量、高強度、耐食性、耐熱性、低線膨張、低クリープ性等、鋼撚り線にはない優れた機械特性がある。【００１８】
各素線３１には内層の保護や表面の摩擦力を高めるためにポリエステル等の有機繊維によるラッピング繊維３２が緻密に巻き付け被覆してある（図４参照）。巻き付け方向は、素線３１に生じる引張力と交差する方向に巻き付けられている。なお、ラッピング繊維３２の巻き付けが緻密なものに限られることなく、繊維幅に対し巻き付けピッチが大きく、巻き付けられていない部分と巻き付けられた部分が交互になっている、いわゆる縞模様状の被覆がされているものであってもよい。【００１９】
炭素繊維心材３０の素線３１への緻密なラッピング繊維３２の巻き付け被覆は、表面に微細な凹凸を形成するので、炭素繊維心材３０の表面の摩擦係数を高め、電線のクランプ１０の把持力を高める効果がある。【００２０】
アルミ撚り線４０は、アルミニウム線またはアルミニウム合金線を撚合せて形成されている。【００２１】
金属緩衝材５０の材料は、亜鉛合金、アルミ合金、錫合金、マグネシウム合金等の合金、または、アルミニウムである。これらは融点が５５０℃以下であるため比較的成型しやすく、また弾性係数が１２０ＧＰａ以下と小さいため、圧縮により変形し、炭素繊維心材３０を適度に締める効果がある。銅合金を使用することもできる。これらの金属を使用した金属緩衝材５０の成型は鋳込成型やダイカスト成型や熱間鍛造等で行う。なお、錫合金は特に融点が低く、また濡れ性が良いため、型に入れた時の追従性が高い。【００２２】
鋳込成型では、まず、炭素繊維心材３０を心型として、炭素繊維心材３０よりも大きめのパイプに入れ、その中に樹脂等を充填、硬化することで円柱に成型する。取り出した円柱を縦に２つ割、あるいは３つ割にして、炭素繊維心材３０を取り除くことで、炭素繊維心材３０の外周形状を内面に転写した、円柱状の２つ割、あるいは３つ割のマスタ型を得る。このマスタ型を、連結材の入った砂、石膏、耐熱シリコン樹脂等を使った鋳型材に埋め込み、固化したのち、割って、マスタ型を取り外す。このようにして得られた中空鋳型に溶融金属を流し込み、冷却固化した後に脱型して、成型体を取り出す。【００２３】
ダイカスト成型に使う金型は、例えば、３次元計測器等で炭素繊維心材３０の形状を読み込み、機械切削等により２つ以上に分割できる金型を作る。これに溶融金属を注入後、直ちに冷却固化し、金型を開いて成型体を取り出す。【００２４】
熱間鍛造もダイカスト成型で使う金型と同様の製法で分割できる金型を製作し、予熱した金属を金型で挟み、プレスすることで、成型体を得る。【００２５】
上記のようにして得られた成型体は炭素繊維心材３０を心型としているため、いずれも炭素繊維心材３０の外周に係合する係合面（内周面にラッピング繊維３２に対応する凹凸）を有する縦方向に２分割、ないし３分割された円筒体からなる金属緩衝材５０の本体を形成する。【００２６】
硬質粒子６０は、金属緩衝材５０の内周面に均一に貼り付けるのが肝要である。貼り付ける方法として、あらかじめ樹脂性接着材を薄く金属緩衝材５０の内周面に塗布し、それに硬質粒子６０を吹き付ける方法がよい。あるいは、鋳型の内表面にあらかじめ硬質粒子６０を配置しておき、それに溶融金属を流し込んでもよい。また、合金にあらかじめ硬質粒子６０を練り混ぜておき、ダイカスト成型してもよい。成型後に硬質粒子６０が金属内に埋め込まれたときには、塩酸や硝酸等で成型体の表面をわずかに溶かすことで、表面に硬質粒子６０が現れる。このようにして、金属からなる緩衝材本体が作られ、さらにその内表面に硬質粒子が取り付けられて、緩衝材が作られる。【００２７】
硬質粒子６０はメッシュサイズの異なる２つのふるいを使って、粒度をそろえることができる。巻き付け被覆の代表的厚さは０．１〜０．３ｍｍ程度であり、この場合には、使用する硬質粒子径は０．１〜０．５ｍｍ程度がよい。すなわち、硬質粒子径は巻き付け被覆厚と同等か、これよりも若干大きいので、巻き付け被覆の下層にある、炭素繊維とマトリクス樹脂のコンポジット層（炭素繊維心材３０の表面）に硬質粒子６０が食い込む。この食い込み量は僅かわずかであるので、コンポジット層、すなわち、炭素繊維心材３０の強度を負担する部分を損傷させることなく、アンカー効果を発揮する。【００２８】
このように構成された電線のクランプ１０は、次のようにして、送電線端部を固定する。すなわち、送電線端部のアルミ撚り線４０の撚りを解いて、炭素繊維心材３０を露出させる。露出した炭素繊維心材３０に２つ割、ないし３つ割の金属緩衝材５０を取り付ける。アルミ線を巻き戻し、それをアルミスリーブ２０に挿入し、２つ割ダイス装置により圧縮加工する。圧縮は、六角型仕上がりの２つ割りダイスを、油圧力でダイスを相互に合わせる方向にプレスすることで行われる。但し、六角に限らず、ダイス形状を変えて、円型や楕円型断面仕上がりであってもよい。スリーブはダイスよりも長いのが通常なので、圧縮位置を少しずつずらしながら、複数回の圧縮をすることで、スリーブ全体を圧縮する。このようにして、１ボディクランプは、アルミスリーブのみで炭素繊維心材３０とアルミ撚り線４０の両方を把持する構造であり、断面は中心から、炭素繊維心材３０、金属緩衝材５０、アルミスリーブ２０になる。【００２９】
このような電線のクランプ１０を用いて送電線を把持する場合、次のような効果がある。すなわち、金属緩衝材５０の弾性係数は材質により異なるが全体として概ね５０〜１２０ＧＰａの範囲にある。炭素繊維心材３０の弾性係数は代表的に１５０ＧＰａ、アルミ撚り線４０の弾性係数は代表的に８０ＧＰａである。すなわち、金属緩衝材５０の弾性係数はいずれも炭素繊維心材３０よりも小さいので、炭素繊維心材３０と比べ変形しやすく、圧縮によって金属緩衝材５０がやや変形し、炭素繊維心材３０の形状に隈なく密着し覆うことができる。【００３０】
さらに硬質粒子６０を金属緩衝材５０と炭素繊維心材３０の間に介在させることで、硬質粒子６０は金属緩衝材５０と炭素繊維心材３０の間にアンカーとしての役目を果たし、金属緩衝材５０がより確実に炭素繊維心材３０を把持する。【００３１】
ここに、金属緩衝材５０、アルミ撚り線４０、炭素繊維心材３０が相互に強固に密着し、かつ硬質粒子６０の介在によるアンカー効果によって、炭素繊維心材３０が抜けることなく、送電線全体のグリップ力を発揮させることができる。さらに、金属緩衝材５０の材質として、錫合金を用いた場合は、炭素繊維心材３０への食いつきが良好で、アンカー効果を増大させることができる。【００３２】
硬質粒子６０は摩擦を高めるために効果的な寸法にしてあるので、炭素繊維心材３０を損傷させる虞はない。【００３３】
したがって、炭素繊維心材３０の外周面に係合する内周面を形成し、割り型となった金属緩衝材５０であって、内周表面に、多数の硬質粒子６０を備えた金属緩衝材５０を、炭素繊維心材３０と導送電線撚り合わせ層との間に介在させ、最外層のアルミスリーブ２０を圧縮させることで、炭素繊維心材３０の損傷を生じることなく、炭素繊維心材３０と金属緩衝材５０の摩擦力を高め、結果として、炭素繊維心材３０・金属緩衝材５０・アルミ撚り線４０・アルミスリーブ２０を一体化することで、送電線の高い緊張力での把持を実現することが可能となる。なお、ラッピング繊維３２が設けられている場合には、硬質粒子６０を用いなくてもよい。【００３４】
したがって、本実施の形態に係る電線のクランプ１０は、簡単な構成で十分で安定した把持力を有する。【００３５】
図５は金属緩衝材５０の変形例に係る金属緩衝材５０Ａを示す横断面図である。上述した金属緩衝材５０は２つ割であったが、金属緩衝材５０Ａは３つ割である。この場合であっても同様の効果を得ることができる。【００３６】
図６は金属緩衝材５０及び炭素繊維心材３０の変形例に係る金属緩衝材５０Ａ及び炭素繊維心材３０Ａを示す斜視図である。すなわち、素線３１にラッピング繊維３２等の被覆が全く無い炭素繊維心材にも適用できる。【００３７】
この他、素線３１にテープ状のものが被覆されたもの、被覆が密ではなく疎に巻かれていて素線３１表面に被覆の有る部分と無い部分が混在しまだら模様となっているもの、さらに、撚り線状でなく、複数の素線３１を使い、４本組、６本組や８本組等の組み紐構造にした炭素繊維心材にも適用できる。このような場合でも、金属緩衝材５０Ａの内面に設置した硬質粒子６０（図省略）が炭素繊維心材３０Ａと金属緩衝材５０Ａの両方にアンカーの作用をするので、炭素繊維心材３０Ａと金属緩衝材５０Ａが一体化する。被覆の無い炭素繊維心材３０Ａの場合には、０．０１〜０．１ｍｍのように硬質粒子径を小さく調整することで、炭素繊維心材の強度を負担する部分を損傷させることなく、アンカー効果を発揮することができる。【００３８】
図７は本発明の第２の実施の形態に係る２ボディタイプの電線のクランプ１０Ａを示す縦断面図、図８は電線のクランプ１０Ａを図７中Ｂ−Ｂ線で切断して矢印方向に見た横断面図である。なお、図７，８において、図１〜図６と同一機能部分には同一符号を付し、その詳細な説明は省略する。２ボディタイプは構造が複雑であるが、炭素繊維心材３０とアルミ撚り線４０の把持を別々に把持するので、クランプの設計自由度が大きい。１ボディタイプは構造がシンプルであるが、一度の圧縮で、心材とアルミ線の両方を把持する必要があるため、圧縮率の微調整が必要とされる。【００３９】
電線のクランプ１０Ａは、有底筒状のアルミスリーブ２０と、このアルミスリーブ２０に同軸的に配置された炭素繊維心材３０と、この炭素繊維心材３０の外周に設けられたアルミ撚り線（導電性金属線）４０と、炭素繊維心材３０とアルミ撚り線４０との間に配置された筒状の金属緩衝材５０と、有底筒状の鋼スリーブ７０と、炭素繊維心材３０と鋼スリーブ７０との間に配置された筒状の金属緩衝材５０とを備えている。金属緩衝材５０の内周面にはさらに硬質粒子６０が設けられている。硬質粒子６０は、例えば、直径０．０１〜０．５ｍｍのアルミナ又は炭化ケイ素である。【００４０】
アルミスリーブ２０には、このアルミスリーブ２０の底部２１側に緊張力接続部２２と、この緊張力接続部２２に取り付けられた電気接続部２３とを備えている。【００４１】
アルミ撚り線４０の先端側は、段剥ぎされて、炭素繊維心材３０が露出されており、この露出された炭素繊維心材３０は、鋼スリーブ７０に挿入され、硬化性樹脂により接着固定されている。なお、把持力は鋼スリーブ７０が分担し、電導性はアルミスリーブ２０が分担する。【００４２】
このように構成された電線のクランプ１０Ａは、次のようにして、送電線端部を固定する。すなわち、全体に被せることになるアルミスリーブ２０を送電線に通しておく。送電線端部の、鋼スリーブ７０に挿入する長さ相当位置で、アルミ撚り線４０を切断し、炭素繊維心材３０を露出させ、いわゆる段付きの状態にする。露出した炭素繊維心材３０に２つ割の金属緩衝材５０を取り付け、それを鋼スリーブ７０に挿入し、鋼スリーブ７０を圧縮する。ついでアルミ撚り線４０の撚りを解いて、炭素繊維心材３０を露出させ、そこに金属緩衝材５０を取り付け、さらにその上にアルミ撚り線４０を巻き戻し、次いで、先に通しておいたアルミスリーブ２０を引き戻し、それを２つ割ダイス装置により圧縮加工する。圧縮形状は上記と同様に六角が普通であるが、円型や楕円型断面仕上がりであってもよい。【００４３】
鋼スリーブ７０の端部には緊張力接続部７２と、中間部にはアルミスリーブ２０との機械的接合のための表面凹凸７１がある。表面凹凸７１は切削や鍛造等によりあらかじめ加工してある。【００４４】
アルミスリーブ２０には全長を通して貫通穴があり、端部には電気接続部２３がある。【００４５】
上述のように、段剥ぎして露出した炭素繊維心材３０は、介在させた金属緩衝材５０とともに、鋼スリーブ７０の圧縮によって一体化している。また巻き戻したアルミ撚り線４０の部分では、炭素繊維心材３０、金属緩衝材５０、アルミ撚り線４０、アルミスリーブ２０が、アルミスリーブ２０の圧縮によって一体化している。さらに鋼スリーブ７０の表面凹凸７１の位置においてもアルミスリーブ２０を圧縮するので、アルミスリーブ２０の内側が鋼スリーブの表面凹凸７１の形状をたどって変形し、相互にかみ込むことにより、鋼スリーブ７０とアルミスリーブ２０が一体化する。【００４６】
このようにして２ボディクランプでは、１ボディタイプと同様のアルミスリーブ２０の圧縮による炭素繊維心３０とアルミ撚り線４０の把持に加え、鋼スリーブ７０の圧縮による炭素繊維心材の把持を併用し、これらが一体化した構造をしている。そして、それぞれの部分において金属緩衝材５０を介在させているため、高い把持力を発揮することができる。【００４７】
アルミスリーブ２０や鋼スリーブ７０の断面は筒状が代表的である。六角ダイスを使った圧縮により、アルミスリーブ２０や鋼スリーブ７０の外形状は略六角形状になる。圧縮の強さは心材径、アルミ線径、緩衝材外径、圧縮ダイス径等により調整可能であり、圧縮力を調整して圧縮の強さを調整してもよい。【００４８】
このようにして、圧縮加工により外部から内部に圧力が伝達し、内部の各層が相互に密着する。仕上がりとしては、その断面形状でみると、外形は六角であり、内部は緻密に充填した構造となっている。すなわち、アルミ撚り線４０は略六角状になり相互に密接し、アルミ撚り線４０間の隙間は無くなり中実な構造となる。さらに、金属緩衝材５０はもともと炭素繊維心材３０の外層内周面に係合する係合面を形成した一対の半円筒体からなるため、概ね炭素繊維心材３０との間の隙間が無いのであるが、適度な柔らかさがあるため、圧縮により変形し、その結果、硬質粒子６０が炭素繊維心材３０と金属緩衝材５０の間に適度に食い込むことができる。【００４９】
炭素繊維心材３０は金属緩衝材４０と密に固着し、両者の間には硬質粒子６０が介在している。この硬質粒子６０が炭素繊維心材３０と金属緩衝材４０のそれぞれに食い込みアンカー効果を発揮することで、高い把持力を発揮する。【００５０】
炭素繊維心材３０が高強度になった結果、従来と同じ径でも、従来より高い把持力が要求される場合や、炭素繊維心の径が大きくなり、より大荷重での把持力が要求される場合に、本考案は特に効果を発揮する。また、炭素繊維材を構成する各素線が、繊維巻き付け被覆が無いものであっても、緩衝材内面に設置する硬質粒子サイズを調整することで、高い把持力を実現する。【００５１】
このような電線のクランプ１０Ａを用いて送電線を把持する場合であっても、上述した電線のクランプ１０Ａと同様の効果が得られる。【００５２】
なお、本発明は前記実施の形態に限定されるものではない。各部材の寸法や形状は一例であり、これらに限られるものではない。この他、本発明の要旨を逸脱しない範囲で種々変形実施可能であるのは勿論である。
【産業上の利用可能性】
【００５３】
簡単な構成で十分で安定した把持力を有する電線のクランプが得られる。
【図１】
2015170389.tif 000003
【図２】
2015170389.tif 000004
【図３】
2015170389.tif 000005
【図４】
2015170389.tif 000006
【図５】
2015170389.tif 000007
【図６】
2015170389.tif 000008
【図７】
2015170389.tif 000009
【図８】
2015170389.tif 000010
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維心材と、撚合わせ送電線との間に介挿された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項２】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状の金属緩衝材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項３】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項４】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維心材と、撚合わせ送電線との間に介挿された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項５】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状で錫材を含む金属緩衝材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項６】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
前記炭素繊維心材と、撚合わせ送電線との間に介挿され、内周面に前記ラッピング繊維に対応する凹凸が形成された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記撚合わせ送電線、前記金属緩衝材、前記炭素繊維心材を圧縮固定する筒状のスリーブとを備えていることを特徴とする送電線のクランプ。
【請求項７】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
内部で前記炭素繊維心材を保持する筒状の鋼スリーブと、
前記炭素繊維心材と、前記鋼スリーブとの間に介挿された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【請求項８】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
内部で前記炭素繊維心材を保持する筒状の鋼スリーブと、
前記炭素繊維心材と、前記鋼スリーブとの間に介挿され、内周面に前記ラッピング繊維に対応する凹凸が形成された筒状の金属緩衝材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【請求項９】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
前記炭素繊維の外周面に、この炭素繊維に生じる引張力と交差する方向に巻き付けられたラッピング繊維と、
内部で前記炭素繊維心材を保持する筒状の鋼スリーブと、
前記炭素繊維心材と、前記鋼スリーブとの間に介挿され、内周面に前記ラッピング繊維に対応する凹凸が形成された筒状の金属緩衝材と、
この金属緩衝材の内周面側に配置され、アルミナ又は炭化ケイ素のうち少なくとも一方を含む増摩材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【請求項１０】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
内部で前記炭素繊維心材を保持する筒状の鋼スリーブと、
前記炭素繊維心材と、前記鋼スリーブとの間に介挿された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【請求項１１】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
内部で前記炭素繊維心材を保持する筒状の鋼スリーブと、
前記炭素繊維の外周面に、この炭素繊維に生じる引張力と交差する方向に巻き付けられたラッピング繊維と、
前記炭素繊維心材と、前記鋼スリーブとの間に介挿され、内周面に前記ラッピング繊維に対応する凹凸が形成された筒状で錫材を含む金属緩衝材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【請求項１２】
炭素繊維を撚り線状に成形した炭素繊維心材と、この炭素繊維心材の外周側に設けられ、導電用金属線を撚合わせて形成された撚合わせ送電線とを有する送電線の端部を把持する送電線のクランプにおいて、
内部で前記炭素繊維心材を保持する筒状の鋼スリーブと、
前記炭素繊維の外周面に、この炭素繊維に生じる引張力と交差する方向に巻き付けられたラッピング繊維と、
前記炭素繊維心材と、前記鋼スリーブとの間に介挿され、内周面に前記ラッピング繊維に対応する凹凸が形成された筒状で錫材を含む金属緩衝材と、
この金属緩衝材の内周面側に配置され、アルミナ又は炭化ケイ素のうち少なくとも一方を含む増摩材と、
前記撚合わせ送電線の外周側に設けられ、前記鋼スリーブ、前記撚合わせ送電線、前記金属緩衝材、前記炭素繊維心材を圧縮固定する筒状のスリーブとを備えていることを特徴とする送電線のクランプ。
【国際調査報告】
2015170389.tif 000011
2015170389.tif 000012